(57)【要約】      （修正有）【課題】上り下りリンクのスループットの実際のニーズを考慮したリソーススケジューリング方法、装置及び通信システムを提供する。【解決手段】基地局は、スケジューリングされるユーザ装置の集合を確定する３０１。あるタイムスロットの同一リソースについて、目標関数に基づいてユーザ装置の集合から一対のユーザ装置を選択しスケジューリングを行う３０２。目標関数は、一対のユーザ装置のリソース上で達成しうる上りリンクのスループットと下りリンクのスループット及び基地局のカバレッジ内での上りリンクスループットと下りリンクのスループットを含むパラメータを考慮する。基地局は、スケジューリングされるユーザ装置対のためにリソースを割り当て、対応するパワーを構成する３０３。【選択図】図３
2016152622.tif 000002
【特許請求の範囲】
【請求項１】
全二重システム又は仮想全二重システムに配置されるリソーススケジューリング装置であって、
スケジューリングされるユーザ装置の集合を確定するための集合確定ユニット；
所定のタイムスロットの同一のリソースについて、目標関数に基づいて前記ユーザ装置の集合から一つのユーザ装置対を選択しスケジューリングを行うためのユーザ選択ユニットであって、前記ユーザ装置対は、一つの上りリンクユーザ装置及び一つの下りリンクユーザ装置を含み、前記目標関数は、前記ユーザ装置対が前記タイムスロットの前記リソース上で達し得る上りリンクのスループット及び下りリンクのスループット、及び、前記基地局のカバレッジ内での上りリンクのスループット及び下りリンクのスループットを考慮する、ユーザ選択ユニット；及び
スケジューリングされる前記ユーザ装置対のために前記リソースを割り当て、対応するパワーを構成するためのリソース割り当てユニットを含む、装置。
【請求項２】
請求項1に記載の装置であって、
前記ユーザ選択ユニットは、
前記ユーザ装置の集合から複数の候補ユーザ装置対を確定するための候補ユーザ確定ユニット；
前記目標関数に基づいて、それぞれ、前記複数の候補ユーザ装置対のために目標値を計算するための目標値計算ユニット；及び
計算された目標値に基づいて、前記複数の候補ユーザ装置対から、スケジューリングされるユーザ装置対及び対応するパワーを確定するためのユーザ確定ユニットを含む、装置。
【請求項３】
請求項2に記載の装置であって、
前記候補ユーザ確定ユニットは、
前記ユーザ装置の集合のうちの任意の二つのユーザ装置を前記候補ユーザ装置対と確定し；或いは、
前記ユーザ装置の集合から一つの下りリンクユーザ装置を確定し、該下りリンクユーザ装置と、前記ユーザ装置の集合のうちの選択されていない任意の一つの上りリンクユーザ装置とを前記候補ユーザ装置対と確定し；又は、前記ユーザ装置の集合から一つの上りリンクユーザ装置を確定し、該上りリンクユーザ装置と、前記ユーザ装置の集合のうちの選択されていない任意の一つの下りリンクユーザ装置とを前記候補ユーザ装置対と確定するように構成される、装置。
【請求項４】
請求項2に記載の装置であって、
前記目標値計算ユニットは、
前記候補ユーザ装置対のうちの上りリンクユーザ装置が前記タイムスロットの前記リソース上で達し得る上りリンクのスループット、及び、前記候補ユーザ装置対のうちの下りリンクユーザ装置が前記タイムスロットの前記リソース上で達し得る下りリンクのスループットを得るためのユーザスループット取得ユニット；
前記候補ユーザ装置対の上りリンクのスループット及び下りリンクのスループットに基づいて、スケジューリング関数により、前記候補ユーザ装置対のユーザスケジューリング値を計算するためのスケジューリング値計算ユニット；
前記基地局のカバレッジにおける前記タイムスロットに関する上りリンクのスループット及び下りリンクのスループットを得るためのシステムスループット取得ユニット；
前記タイムスロットに関する上りリンクのスループット及び下りリンクのスループットに基づいて、コスト関数により、前記基地局のカバレッジにおけるシステムコスト値を計算するためのコスト計算ユニット；及び
前記ユーザスケジューリング値及び前記システムコスト値に基づいて、前記目標関数により、前記候補ユーザ装置対をスケジューリングする場合の目標値を確定するための目標値確定ユニットを含む、装置。
【請求項５】
請求項4に記載の装置であって、
前記目標関数は、
【数１】
2016152622.tif 000040
であり、UDLi(t)及びUULj(t)は、それぞれ、下りリンクユーザ装置i及び上りリンクユーザ装置jが前記タイムスロットtの前記リソース上で達し得る下りリンクのスループット及び上りリンクのスループットを表し；f(UDLi(t),UULj(t))は、前記スケジューリング関数を表し；CDL(t-1)及びCUL(t-1)は、それぞれ、タイムスロットt-1の終了時に前記基地局のカバレッジにおける下りリンクのスループット及び上りリンクのスループットを表し、又は、タイムスロットt-1の終了時から前へのm個のタイムスロットにおける前記基地局のカバレッジ内での下りリンク及び上りリンクのスループットを表し；g(CDL(t-1)／CUL(t-1))は、前記コスト関数を表し；G(PDL,PUL)は、前記目標関数を表し、λは、定数である、装置。
【請求項６】
請求項5に記載の装置であって、
前記スケジューリング関数は、
前記候補ユーザ装置対が前記タイムスロットの前記リソース上で達し得る上りリンクのスループット及び下りリンクのスループットの加重和、即ち、
【数２】
2016152622.tif 000041
であり、α及びβは、定数であり；又は
全てのユーザ装置ができるだけ公平のスケジューリング機会を得るようにさせた場合、前記候補ユーザ装置対が前記タイムスロットの前記リソース上で達し得る上りリンクのスループット及び下りリンクのスループットの加重和、即ち、
【数３】
2016152622.tif 000042
であり、TDLi(t-1)及びTULj(t-1)は、それそれ、タイムスロットt-1に至る時に、下りリンクユーザ装置i及び上りリンクユーザ装置jの累積的な下りリンクのスループット及び上りリンクのスループットを表し、又は、タイムスロットt-1の終了時から前へのm個のタイムスロットにおける下りリンクユーザ装置i及び上りリンクユーザ装置jの累積的な下りリンクのスループット及び上りリンクのスループットを表す、装置。
【請求項７】
請求項5に記載の装置であって、
UDLi(t)は、下りリンクユーザ装置iの前記タイムスロットｔにおける前記リソース上でのSINR
（外１）
2016152622.tif 000043
に関し、
（外２）
2016152622.tif 000044
は、下りリンクパワーPDL、及び、下りリンクユーザ装置iとサービング伝送ポイントとの間のチャネルHDLiにより決定され、
UULj(t)は、上りリンクユーザ装置jの前記タイムスロットｔにおける前記リソース上でのSINR
（外３）
2016152622.tif 000045
に関し、
（外４）
2016152622.tif 000046
は、上りリンクパワーPUL、上りリンクユーザ装置jとサービング伝送ポイントとの間のチャネルHULj、及び前記サービング伝送ポイントの干渉除去能力Icancelにより決定される、装置。
【請求項８】
請求項5に記載の装置であって、
CDL(t-1)／CUL(t-1)が所定値と一致し又は所定範囲内にある場合、g(CDL(t-1)／CUL(t-1))の値はゼロ又は正数であり、また、CDL(t-1)／CUL(t-1)が前記所定値又は前記所定範囲から離れるほど、g(CDL(t-1)／CUL(t-1))の値が大きい、装置。
【請求項９】
全二重システム又は仮想全二重システムに用いられるリソーススケジューリング方法であって、
基地局が、スケジューリングされるユーザ装置の集合を確定し；
所定のタイムスロットの同一のリソースについて、目標関数に基づいて前記ユーザ装置の集合から一つのユーザ装置対を選択しスケジューリングを行い、前記ユーザ装置対は、一つの上りリンクユーザ装置及び一つの下りリンクユーザ装置を含み；及び
スケジューリングされるユーザ装置対のために前記リソースを割り当て、対応するパワーを構成することを含み、
前記目標関数は、前記ユーザ装置対が前記タイムスロットの前記リソース上で達し得る上りリンクのスループット及び下りリンクのスループット、及び、前記基地局のカバレッにおける上りリンクのスループット及び下りリンクのスループットを考慮する、方法。
【請求項１０】
全二重通信又は仮想全二重通信を行う通信システムであって、
基地局を含み、
前記基地局は、スケジューリングされるユーザ装置の集合を確定し；所定のタイムスロットの同一のリソースについて、目標関数に基づいて前記ユーザ装置の集合から一つのユーザ装置対を選択しスケジューリングを行い；及び、スケジューリングされるユーザ装置対のために前記リソースを割り当て、対応するパワーを構成し、
前記ユーザ装置対は、一つの上りリンクユーザ装置及び一つの下りリンクユーザ装置を含み、
前記目標関数は、前記ユーザ装置対が前記タイムスロットの前記リソース上で達し得る上りリンクのスループット及び下りリンクのスループット、及び、前記基地局のカバレッジにおける上りリンクのスループット及び下りリンクのスループットを考慮する、通信システム。
【発明の詳細な説明】
【技術分野】
【０００１】
本発明は、無線通信の技術分野に関し、特に、全二重（full  duplex）システム又は仮想全二重システムにおけるリソーススケジューリング方法、装置及び通信システムに関する。
【背景技術】
【０００２】
半二重システムでは、同一リソースを上りリンク又は下りリンクにしかスケジューリングすることができない。上り下りリンクのスループットの制御は、異なる上り下りリンクのタイムスロットを設置することにより行われるのである。全二重システムでは、同一リソースを上りリンク及び下りリンクに同時にスケジューリングすることができ、これにより、システム容量の向上を助けることができる。スケジューリングアルゴリズムを設計する時に、上り下りリンクのスループットの制御も同様に考慮する必要があるため、異なる上り下りリンクのスループットのニーズを満足することができる。
【発明の概要】
【発明が解決しようとする課題】
【０００３】
発明者は次のようなことを発見した。即ち、従来の全二重スケジューリングメカニズムでは、主な考慮は、ユーザ装置対（ペア）の選択であり、上り下りリンクのスループットの公平性への考慮は少ない。しかし、実際のシステムでは、上りリンクのスループット及び下りリンクのスループットのうちの一つのみを増やし、もう一つを無視することができない。よって、リソーススケジューリング時に、上り下りリンクのスループットの実際のニーズを考慮する必要がある。
【０００４】
本発明の目的は、全二重システム又は仮想全二重システムにおいてリソースをスケジューリングする時に、上り下りリンクのスループットの実際のニーズを考慮し得るリソーススケジューリング方法、装置及び通信システムを提供することにある。
【課題を解決するための手段】
【０００５】
本発明の一側面によれば、リソーススケジューリング装置が提供され、それは、全二重システム又は仮想全二重システムに配置され、前記装置は、
スケジューリングされるユーザ装置の集合を確定するための集合確定ユニット；
あるタイムスロットの同一リソースについて、目標関数に基づいて前記ユーザ装置の集合から一対のユーザ装置を選択しスケジューリングを行うためのユーザ選択ユニットであって、前記一対のユーザ装置は、一つの上りリンクユーザ装置及び一つの下りリンクユーザ装置を含み；前記目標関数は、前記一対のユーザ装置が前記タイムスロットの前記リソース上で達し得る上りリンクのスループット及び下りリンクのスループット、及び、基地局のカバレッジ内での上りリンクのスループット及び下りリンクのスループットを含むパラメータを考慮する、ユーザ選択ユニット；及び
スケジューリングされる前記一対のユーザ装置のために、前記リソースを割り当て、対応するパワーを構成するためのリソース割り当てユニットを含む。
【０００６】
本発明の有益な効果は、リソーススケジューリング時に、ユーザ装置対が所定タイムスロットの同一リソース上で達し得る上りリンクのスループット及び下りリンクのスループット、及び、基地局のカバレッジ内での上りリンクのスループット及び下りリンクのスループットを含むパラメータを考慮することで、より良いユーザ装置対を選択することができるのみならず、上り下りリンクのスループットの公平性も考慮するため、全二重システム又は仮想全二重システムの実際のニーズを満たすこともできる。
【図面の簡単な説明】
【０００７】
【図１】本発明の実施例における仮想全二重を示す図である。
【図２】本発明の実施例における全二重を示す図である。
【図３】本発明の実施例におけるリソーススケジューリング方法を示す図である。
【図４】本発明の実施例におけるリソーススケジューリング方法を示す他の図である。
【図５】本発明の実施例における所定タイムスロットの同一リソースに対してのユーザ装置対の選択を示す図である。
【図６】本発明の実施例における候補ユーザ装置対のための目標値の計算を示す図である。
【図７】本発明の実施例におけるリソーススケジューリング装置を示す図である。
【図８】本発明の実施例におけるユーザ選択ユニットを示す図である。
【図９】本発明の実施例における目標値計算ユニットを示す図である。
【図１０】本発明の実施例における通信システムを示す図である。
【図１１】本発明の実施例における基地局の構成を示す図である。
【発明を実施するための形態】
【０００８】
以下、添付した図面を参照しながら、本発明を実施するための形態を詳しく説明する。
【０００９】
本発明の実施例では、主に、次のような２種類の全二重メカニズムを考慮する。
【００１０】
A）仮想全二重：一つの伝送ポイントのカバレッジ内（このカバレッジは、セルIDを有する一つの独立したセルであっても良く、又は、一つのセル内で該サービングポイントによりサービングされ得る一つの物理的領域であっても良い）で、一つのユーザ装置は、一つの伝送ポイントによってサービングされて下りリンクに関するワーキングを行い、もう一つのユーザ装置は、もう一つの伝送ポイントによってサービングされて上りリンクに関するワーキングを行う。
【００１１】
図1は、本発明の実施例における仮想全二重を示す図である。図1に示すように、ユーザ装置（ユーザとも言う）UE1及びUE2は、伝送ポイント2のカバレッジ内にある。同一リソース内で、UE1は伝送ポイント1によってサービングされて下りリンクに関するワーキングを行い（この時にUE1を下りリンクユーザ装置と言っても良い）、UE2は伝送ポイント2によってサービングされて上りリンクに関するワーキングを行う（この時にUE2を上りリンクユーザ装置と言っても良い）。
【００１２】
B）全二重：一つの伝送ポイントは全二重のモード下でワーキングすることができ、即ち、同一リソース上でデータを同時に受信及び送信することができる。
【００１３】
図2は、本発明の実施例における全二重を示す図である。図2に示すように、ユーザ装置UE1及びUE2は、それぞれ、伝送ポイント1によってサービングされて下りリンク及び上りリンクに関るワーキングを行う。
【００１４】
本発明の実施例では、仮想全二重メカニズム中での伝送ポイント2は、干渉除去能力を有すべきであり、全二重メカニズム中での伝送ポイント1も干渉除去能力を有すべきであり、これにより、上りリンク信号を受信するのを助けることができる。本発明の実施例では、このような干渉除去能力についてモデルを作成する。
【００１５】
例えば、伝送ポイントは、固定の干渉除去能力を有し、例えば、100dBの干渉を除去することができる。或いは、伝送ポイントの干渉除去能力は、干渉の大小（サイズ）に関し、即ち、該能力は、干渉の大小の関数であり、例えば、干渉が大きい時には除去能力が強く、干渉が小さい時には除去能力が弱いなどである。なお、ここでの干渉の大小は、干渉源の送信パワーに関する。
【００１６】
以上、仮想全二重又は全二重について例示的に説明したが、以下、本発明の実施形態について詳細に説明する。
【実施例１】
【００１７】
本発明の実施例は、リソーススケジューリング方法を提供し、それは、全二重システム又は仮想全二重システムに用いられ得る。
【００１８】
図3は、本発明の実施例におけるリソーススケジューリング方法を示す図である。図3に示すように、該方法は次のようなステップを含み、即ち、
ステップ301：基地局が、スケジューリングされるユーザ装置の集合を確定し；
ステップ302：あるタイムスロットの同一リソースについて、目標関数に基づいて前記ユーザ装置の集合から一対のユーザ装置を選択しスケジューリングを行い；
そのうち、前記一対のユーザ装置は、一つの上りリンクユーザ装置及び一つの下りリンクユーザ装置を含み；前記目標関数は、前記一対のユーザ装置の前記タイムスロットの前記リソース上で達し得る上りリンクのスループット及び下りリンクのスループット、及び、前記基地局のカバレッジ内での上りリンクのスループット及び下りリンクのスループットを含むパラメータを考慮し；
ステップ303：スケジューリングされるユーザ装置対のために、前記リソースを割り当て、対応するパワーを構成する。
【００１９】
本実施例では、基地局は、図1及び図2に示すような伝送ポイント1であっても良く、図1に示すような伝送ポイント2であっても良い。例えば、マクロ基地局（Macro  base  station）であっても良く、ピコ基地局（Pico  base  station）であっても良く、RRH（Remote  Radio  Head）などであっても良い。なお、本発明はこれに限定されず、実際のシナリオに基づいて具体的な装置を確定しても良い。
【００２０】
また、スケジューリングされるユーザ装置の集合については、次のような場合を含んでも良く、即ち、該集合は、該基地局のカバレッジにおける全てのユーザ装置を含み；又は、該集合は、割り当てられているリソースにおいてスケジューリングされていないユーザ装置を含む。なお、本発明はこれに限定されず、実際のシナリオに応じて具体的なユーザ装置の集合を確定しても良い。
【００２１】
図3は、あるタイムスロットの同一リソースについての場合のみを示すが、割り当て待ちの複数リソースについては、基地局は、ステップ302及びステップ303を、全てのリソースが割り当てられているまで、繰り返すことができる。
【００２２】
図4は、本発明の実施例におけるリソーススケジューリング方法の示す他の図である。図4に示すように、該方法は次のようなステップを含み、即ち、
ステップ401：基地局が、スケジューリングされるユーザ装置の集合を確定し；
ステップ402：あるタイムスロットの同一リソースについて、目標関数に基づいて前記ユーザ装置の集合から一対のユーザ装置を選択しスケジューリングを行い；
ステップ403：スケジューリングされるユーザ装置対のために、前記リソースを割り当て、対応するパワーを構成し；
ステップ404：割り当てられていないリソースがあるかを判断し；割り当てられていないリソースが存在する場合、ステップ402を実行して、ユーザ装置対を選択しスケジューリング及びリソース割り当てを行い；割り当てられていないリソースが存在しない場合、リソース割り当てプロセスが完了する。
【００２３】
本実施例では、リソース割り当てのための目標関数は次のようなパラメータ、即ち、前記ユーザ装置が前記タイムスロットの前記リソース上で達し得る上りリンクのスループット及び下りリンクのスループット、及び、前記基地局のカバレッジ内での上りリンクのスループット及び下りリンクのスループットを考慮する。よって、より良いユーザ装置対を選択することができるのみならず、上り下りリンクのスループットの公平性も考慮するため、上り下りリンクのスループットの実際のニーズを満足することもできる。
【００２４】
以下、所定タイムスロットの同一リソースについて、如何にユーザ装置対（一つの上りリンクユーザ装置及び一つの下りリンクユーザ装置を含む）を選択するかについて詳細に説明する。
【００２５】
図5は、本発明の実施例における、あるタイムスロットの同一リソースについてのユーザ装置対の選択を示す図である。図5に示すように、該選択プロセスは次のようなステップを含み、即ち、
ステップ501：前記ユーザ装置の集合から複数の候補ユーザ装置対を確定し；
ステップ502：目標関数に基づいて、それぞれ、前記複数の候補ユーザ装置対のために目標値を計算し；
ステップ503：計算された目標値に基づいて、前記複数の候補ユーザ装置対から、スケジューリングされるユーザ装置対、及び、対応するパワーを確定する。
【００２６】
一つの実施方式では、ユーザ装置の集合のうちの任意の二つのユーザ装置を候補ユーザ装置対として確定し、これにより、複数の候補ユーザ装置対を得ても良い。その後、最適な上り下りリンクパワー構成に基づいて目標関数G(PDL,PUL)に対して計算を行う。最終的に選択したユーザ装置対は、最適なパワー構成の場合にG(PDL,PUL)が最大であるようにさせたユーザ装置対である。
【００２７】
もう一つの実施方式では、ユーザ装置の集合から一つの下り（上り）リンクユーザ装置を確定し、該下り（上り）リンクユーザ装置と、前記ユーザ装置の集合のうちの選択されていない任意の一つの上り（下り）リンクユーザ装置とを前記候補ユーザ装置対として確定し、これにより、複数の候補ユーザ装置対を得ても良い。
【００２８】
例えば、所定の基準（例えば、Proportional  Fairness基準、Polling基準、最大SINR（signal-to-interference  noise  ratio）基準など）に従って、一つの下りリンクユーザ装置（又は、上りリンクユーザ装置）を選択し；スケジューリングされ得るユーザ装置の集合のうちの未だ選択されていない任意のユーザ装置について、得られた最適な上り下りリンクパワー構成に基づいて、目標関数G(PDL,PUL)に対して計算を行い；最終的には、一つの上りリンクユーザ装置（又は、下りリンクユーザ装置）を、ユーザ装置対のG(PDL,PUL)が最大になるように選択する。
【００２９】
以下、如何に候補ユーザ装置対のために目標値を計算するかについては、例示的に説明する。
【００３０】
図6は、本発明の実施例における、候補ユーザ装置のための目標値の計算を示す図である。図6に示すように、該計算プロセスは次のようなステップを含み、即ち、
ステップ601：候補ユーザ装置対のうちの上りリンクユーザ装置が前記タイムスロットの前記リソース上で達し得る上りリンクのスループット、及び、前記候補ユーザ装置対のうちの下りリンクユーザ装置が前記タイムスロットの前記リソース上で達し得る下りリンクのスループットを得る。
【００３１】
本実施例では、ユーザ装置i及びユーザ装置jは、二つの異なるユーザ装置である。UDLi(t)及びUULj(t)は、それぞれ、下りリンクユーザ装置i及び上りリンクユーザ装置jのがタイムスロットtの同一リソース上で達し得る下りリンクのスループット及び上りリンクのスループットを表す。
【００３２】
そのうち、UDLi(t)は、下りリンクユーザ装置iのタイムスロットｔにおける前記リソース上でのSINR
（外１）
2016152622.tif 000003
に関する。例えば、UDLi(t)は、Shannon公式に従って計算することができ、即ち
【数１】
2016152622.tif 000004
であり；そのうち、BWは、下りリンクユーザ装置iに割り当てられているバンド幅である。或いは、UDLi(t)は、
（外２）
2016152622.tif 000005
による変調符号化方式に基づいて決定されても良い。
（外３）
2016152622.tif 000006
は、下りリンクパワーPDL、及び、下りリンクユーザ装置iと伝送ポイントとの間のチャネルHDLiによって決定されても良い。
【００３３】
例えば、
【数２】
2016152622.tif 000007
であり、そのうち、IDLiは、下りリンクユーザ装置iが前記リソース上で受けた干渉であり、Nは、ノイズの大小である。
【００３４】
また、UULj(t)は、上りリンクユーザ装置jのタイムスロットｔにおける前記リソース上のSINR
（外４）
2016152622.tif 000008
に関する。なお、具体的な計算は、下りリンクに関する計算方法と同様である。
（外５）
2016152622.tif 000009
は、上りリンクパワーPUL、上りリンクユーザ装置jと伝送ポイントとの間のチャネルHULj、及び前記伝送ポイントの干渉除去能力Icancelによって決定されても良い。
【００３５】
例えば、
【数３】
2016152622.tif 000010
であり、そのうち、IULjは、上りリンクユーザ装置jが前記リソース上で受けた干渉である。
【００３６】
なお、以上、如何に上りリンクユーザ装置が達し得る上りリンクのスループット、及び、下りリンクユーザ装置が達し得る下りリンクのスループットを計算するかを例示的に説明したが、本発明はこれに限定されず、例えば、上述の方法又は公式に基づいて適切な調整又は変更を行うこともできる。
【００３７】
ステップ602：候補ユーザ装置対の上りリンクのスループット及び下りリンクのスループットに基づいて、スケジューリング関数により、前記候補ユーザ装置対のユーザスケジューリング値を計算する。
【００３８】
本実施例では、スケジューリングアルゴリズムは、タイムスロットtにおいて各リソース上でスケジューリングすべきユーザ装置対及び対応するパワー構成を決定するために用いられても良い。そのうち、f(UDLi(t),UULj(t))を用いて前記スケジューリング関数を表し、前記スケジューリング関数は、
一つの実施方式では、候補ユーザ装置対が前記タイムスロットの前記リソース上で達し得る上りリンクのスループット及び下りリンクのスループットの加重和であり、即ち、
【数４】
2016152622.tif 000011
であり、そのうち、α及びβは定数であり；
もう一つの実施方式では、Proportional  Fairnessの原則を考慮することができ、全てのユーザ装置ができるだけ公平のスケジューリング機会を得るようにさせた場合、候補ユーザ装置対が前記タイムスロットの前記リソース上で達し得る上りリンクのスループット及び下りリンクのスループットの加重和であり、即ち、
【数５】
2016152622.tif 000012
であり、そのうち、TDLi(t-1)及びTULj(t-1)は、それぞれ、タイムスロットt-1に至る時に、下りリンクユーザ装置i及び上りリンクユーザ装置jの累積された下りリンクのスループット及び上りリンクのスループットを表し、又は、タイムスロットt-1の終了時から前へのm個のタイムスロットにおいて下りリンクユーザ装置i及び上りリンクユーザ装置jの累積された下りリンクのスループット及び上りリンクのスループットを表す。
【００３９】
なお、以上、スケジューリング関数について例示的に説明したが、本発明はこれに限定されず、実際の状況に応じて、他の具体的なスケジューリング関数を確定しても良く。
【００４０】
ステップ603：基地局のカバレッジ内での前記タイムスロットに関する上りリンクのスループット及び下りリンクのスループットを得る。
【００４１】
本実施例では、CDL(t-1)及びCUL(t-1)は、それぞれ、タイムスロットt-1の終了時における前記基地局のカバレッジ内での下りリンクのスループット及び上りリンクのスループットを表し、又は、タイムスロットt-1の終了時から前へのm個のタイムスロットにおいて前記基地局のカバレッジ内での下りリンク及び上りリンクのスループットを表す。
【００４２】
ステップ604：前記タイムスロットに関する上りリンクのスループット及び下りリンクのスループットに基づいて、コスト関数により、前記基地局のカバレッジ内でのシステムコスト値を計算する。
【００４３】
本実施例では、コスト関数は次のような条件を満足し、即ち、基地局のカバレッジ内での上りリンクのスループットと下りリンクのスループットとの比は、できるだけ、所定値と一致し、又は、所定範囲内にある。
【００４４】
即ち、CDL(t-1)／CUL(t-1)に対しての要求は、例えば、CDL(t-1)／CUL(t-1)＝Aであっても良く、Aは、定数であり、或いは、B≦CDL(t-1)／CUL(t-1)≦Cであっても良く、B及びCは、定数である。
【００４５】
これにより、コスト関数g(CDL(t-1)／CUL(t-1))の特徴は、CDL(t-1)／CUL(t-1)が条件を満足した場合、g(CDL(t-1)／CUL(t-1))はゼロ（零）又は比較的小さい正数であり、そうではない場合、g(CDL(t-1)／CUL(t-1))は比較的大きい正数である。また、CDL(t-1)／CUL(t-1)が満足すべき条件から離れるほど、g(CDL(t-1)／CUL(t-1))の値は大きい。
【００４６】
例えば、条件がCDL(t-1)／CUL(t-1)＝Aの場合、g(x)は、g(x)=ax2+bx+cと定義されても良く、a、b、cは、定数であり、a＞0且つg(A)=0である。条件がB≦CDL(t-1)／CUL(t-1)≦Cの場合、g(x)は、g(x)=ax2+bx+cと定義されても良く、a、b、cは、定数であり、a＞0且つg(B)=g(C)=0である。
【００４７】
なお、以上、コスト関数について例示的に説明したが、本発明はこれに限定されず、実際の状況に応じて、他の具体的なコスト関数を確定しても良い。
【００４８】
ステップ605：前記ユーザスケジューリング値及び前記システムコスト値に基づいて、目標関数により、前記候補ユーザ装置対をスケジューリングする場合の目標値を確定する。
【００４９】
本実施例では、あるタイムスロットの同一リソースについて、最適化の目標は、目標関数G(PDL,PUL)の最大化として定義されても良く、該目標関数は、f(UDLi(t),UULj(t))及び／又はg(CDL(t-1)／CUL(t-1))の関数である。例えば、前記目標関数は、
【数６】
2016152622.tif 000013
であっても良く、そのうち、λは、定数である。
【００５０】
任意の候補ユーザ装置対について、例えば、下りリンクユーザ装置i及び上りリンクユーザ装置jについて、
【数７】
2016152622.tif 000014
が最大であるようにさせる最適な下りリンクパワー及び最適な上りリンクパワーの構成を得ることができる。可能な方法としては、G(PDL,PUL)に対してPDL及びPULについて導関数を計算し、即ち、(G(PDL,PUL))′PDL及び(G(PDL,PUL))′PULであり；その後、(G(PDL,PUL))′PDL=0及び(G(PDL,PUL))′PUL=0に基づいて、該ユーザ装置対に関する最適な下りリンクパワー及び最適な上りリンクパワーの構成を得ることがある。
【００５１】
なお、以上、目標関数について例示的に説明したが、本発明はこれに限定されず、目標関数は次のようなパラメータ、即ち、ユーザ装置対があるタイムスロットの同一リソース上で達し得る上りリンクのスループット及び下りリンクのスループット、及び、基地局のカバレッジ内での上りリンクのスループット及び下りリンクのスループットを考慮すれば良い。また、目標関数の具体的な形式については、実際の情況に応じて、確定しても良い。
【００５２】
上述の実施例から分かるように、リソーススケジューリング時に次のパラメータ、即ち、ユーザ装置対が所定タイムスロットの同一リソース上で達し得る上りリンクのスループット及び下りリンクのスループット、及び、基地局のカバレッジ内での上りリンクのスループット及び下りリンクのスループットを考慮することで、より良いユーザ装置対を選択することができるのみならず、上り下りリンクのスループットの公平性も考慮するため、全二重システム又は仮想全二重システムの実際のニーズを満足することもできる。
【実施例２】
【００５３】
本発明の実施例はリソーススケジューリング装置を提供し、それは、全二重システム又は仮想全二重システムに配置され得る。本発明の実施例は実施例1におけるリソーススケジューリング方法に対応し、ここでは同じ内容が省略される。
【００５４】
図7は本発明の実施例におけるリソーススケジューリング装置を示す図である。図7に示すように、前記リソーススケジューリング装置700は次のようなユニットを含み、即ち、
集合確定ユニット701：スケジューリングされるユーザ装置の集合を確定し；
ユーザ選択ユニット702：所定タイムスロットの同一リソースについて、目標関数に基づいて前記ユーザ装置の集合から一対のユーザ装置を選択しスケジューリングを行い；そのうち、前記一対のユーザ装置は、一つの上りリンクユーザ装置及び一つの下りリンクユーザ装置を含み；前記目標関数は、次のようなパラメータ、即ち、前記一対のユーザ装置が前記タイムスロットの前記リソース上で達し得る上りリンクのスループット及び下りリンクのスループット、及び、前記基地局のカバレッジ内での上りリンクのスループット及び下りリンクのスループットを考慮し；
リソース割り当てユニット703：スケジューリングされるユーザ装置対のために、前記リソースを割り当て、対応するパワーを割り当てる。
【００５５】
図8は本発明の実施例におけるユーザ選択ユニット702を示す図である。図8に示すように、前記ユーザ選択ユニット702は次のようなユニットを含み、即ち、
候補ユーザ確定ユニット801：前記ユーザ装置の集合から複数の候補ユーザ装置対を確定し；
目標値計算ユニット802：前記目標関数に基づいて、それぞれ、前記複数の候補ユーザ装置対のために目標値を計算し；
ユーザ確定ユニット803：計算された目標値に基づいて、前記複数の候補ユーザ装置対から、スケジューリングされるユーザ装置対及び対応するパワーを確定する。
【００５６】
そのうち、前記候補ユーザ確定ユニット801は、具体的に、前記ユーザ装置の集合のうちの任意の二つのユーザ装置を前記候補ユーザ装置対として確定し；或いは、
前記ユーザ装置の集合から一つの下りリンクユーザ装置を確定し、該下りリンクユーザ装置と、前記ユーザ装置の集合のうちの選択されていない任意の一つの上りリンクユーザ装置とを前記候補ユーザ装置対として確定し；又は、前記ユーザ装置の集合から一つの上りリンクユーザ装置を確定し、該上りリンクユーザ装置と、前記ユーザ装置の集合のうちの選択されていない任意の一つの下りリンクユーザ装置とを前記候補ユーザ装置対として確定するために用いられても良い。
【００５７】
図9は、本発明の実施例における目標値計算ユニット802を示す図である。図9に示すように、前記目標値計算ユニット802は次のようなユニットを含み、即ち、
ユーザスループット取得ユニット901：前記候補ユーザ装置対のうちの上りリンクユーザ装置が前記タイムスロットの前記リソース上で達し得る上りリンクのスループット、及び前記候補ユーザ装置対のうちの下りリンクユーザ装置が前記タイムスロットの前記リソース上で達し得る下りリンクのスループットを取得し；
スケジューリング値計算ユニット902：前記候補ユーザ装置対の上りリンクのスループット及び下りリンクのスループットに基づいて、スケジューリング関数により、前記候補ユーザ装置対のユーザスケジューリング値を計算し；
システムスループット取得ユニット903：前記基地局のカバレッジ内での前記タイムスロットに関する上りリンクのスループット及び下りリンクのスループットを取得し；
コスト計算ユニット904：前記タイムスロットに関する上りリンクのスループット及び下りリンクのスループットに基づいて、コスト関数により、前記基地局のカバレッジ内でのシステムコスト値を計算し；
目標値確定ユニット905：前記ユーザスケジューリング値及び前記システムコスト値に基づいて、前記目標関数により、前記候補ユーザ装置対をスケジューリングする場合の目標値を確定する。
【００５８】
一つの実施方式では、前記目標関数は、
【数８】
2016152622.tif 000015
であっても良い。そのうち、UDLi(t)及びUULj(t)は、それぞれ、下りリンクユーザ装置i及び上りリンクユーザ装置jが前記タイムスロットtの前記リソース上で達し得る下りリンクのスループット及び上りリンクのスループットを表し；f(UDLi(t),UULj(t))は、前記スケジューリング関数を表し；CDL(t-1)及びCUL(t-1)は、それぞれ、タイムスロットt-1の終了時に前記基地局のカバレッジ内での下りリンクのスループット及び上りリンクのスループットを表し、又は、タイムスロットt-1の終了時から前へのm個のタイムスロット内での前記基地局のカバレッジ内の下りリンク及び上りリンクのスループットを表し；g(CDL(t-1)／CUL(t-1))は、前記コスト関数を表し；G(PDL,PUL)は、前記目標関数を表し、λは、定数である。
【００５９】
一つの実施方式では、前記スケジューリング関数は、前記候補ユーザ装置対が前記タイムスロットの前記リソース上で達し得る上りリンクのスループット及び下りリンクのスループットの加重和であり、即ち、
【数９】
2016152622.tif 000016
であり、そのうち、α及びβは、定数であり；
或いは、全てのユーザ装置が、できるだけ、公平のスケジューリング機会を得るようにさせた場合、前記候補ユーザ装置対が前記タイムスロットの前記リソース上で達し得る上りリンクのスループット及び下りリンクのスループットの加重和であり、即ち、
【数１０】
2016152622.tif 000017
であり、そのうち、TDLi(t-1)及びTULj(t-1)は、それそれ、タイムスロットt-1に至る時に、下りリンクユーザ装置i及び上りリンクユーザ装置jの累積された下りリンクのスループット及び上りリンクのスループットを表し；又は、タイムスロットt-1の終了時から前へのm個のタイムスロットにおいて下りリンクユーザ装置i及び上りリンクユーザ装置jの累積された下りリンクのスループット及び上りリンクのスループットを表す。
【００６０】
一つの実施方式では中、UDLi(t)は、下りリンクユーザ装置iのタイムスロットｔにおける前記リソース上でのSINR
（外６）
2016152622.tif 000018
に関し、
（外７）
2016152622.tif 000019
は、下りリンクパワーPDL、及び、下りリンクユーザ装置iとサービング伝送ポイントとの間のチャネルHDLiによって決定され；
UULj(t)は、上りリンクユーザ装置jのタイムスロットｔにおける前記リソース上でのSINR
（外８）
2016152622.tif 000020
に関し、
（外９）
2016152622.tif 000021
は、上りリンクパワーPUL、上りリンクユーザ装置jとサービング伝送ポイントとの間のチャネルHULj、及び前記サービング伝送ポイントの干渉除去能力Icancelによって決定される。
【００６１】
一つの実施方式では、
【数１１】
2016152622.tif 000022
；
【数１２】
2016152622.tif 000023
であり、そのうち、IDLiは、下りリンクユーザ装置iが前記リソース上で受けた干渉であり、IULjは、上りリンクユーザ装置jが前記リソース上で受けた干渉であり、Nは、ノイズの大小である。
【００６２】
一つの実施方式では、前記基地局のカバレッジ内での上りリンクのスループットと、下りリンクのスループットとの比は、できるだけ、所定値と一致し、又は、処理範囲内にある。CDL(t-1)／CUL(t-1)が所定値と一致し又は所定範囲内にある場合、g(CDL(t-1)／CUL(t-1))の値はゼロ（零）又は正数であり；また、CDL(t-1)／CUL(t-1)が前記所定値又は前記所定範囲から離れるほど、g(CDL(t-1)／CUL(t-1))の値は大きい。
【００６３】
一つの実施方式では、g(x)=ax2+bx+cであり、a、b、cは、定数であり、a＞0且つg(A)=0又はg(N)=g(C)=0であり、そのうち、Aは、前記所定値であり；又は、[B,C]は、前記所定範囲である。
【００６４】
上述の実施例から分かるように、リソーススケジューリング時に、次のようなパラメータ、即ち、ユーザ装置対が所定のタイムスロットの同一リソース上で達し得る上りリンクのスループット及び下りリンクのスループット、及び、基地局のカバレッジ内での上りリンクのスループット及び下りリンクのスループットを考慮し、これにより、より良いユーザ装置対を選択することができるだけではなく、上り下りリンクのスループットの公平性も考慮するので、全二重システム又は仮想全二重システムの実際のニーズを満足することもできる。
【実施例３】
【００６５】
本発明の実施例は更に通信システムを提供する。なお、ここでは、実施例1及び2と同じ内容が省略される。図10は、本発明の実施例における通信システムを示す図である。図10に示すように、前記通信システム1000は、基地局1001及びユーザ装置1002を含む。
【００６６】
そのうち、基地局1001は、スケジューリングされるユーザ装置の集合を確定し；あるタイムスロットの同一リソースについて、目標関数に基づいて前記ユーザ装置の集合から一対のユーザ装置を選択しスケジューリングを行い；及び、スケジューリングされる前記ユーザ装置対のために前記リソースをあ割り当て、対応するパワーを構成する。
【００６７】
そのうち、前記一対のユーザ装置は、一つの上りリンクユーザ装置及び一つの下りリンクユーザ装置を含み；前記目標関数は、次のようなパラメータ、即ち、前記一対のユーザ装置が前記タイムスロットの前記リソース上で達し得る上りリンクのスループット及び下りリンクのスループット、及び、前記基地局のカバレッジ内での上りリンクのスループット及び下りリンクのスループットを考慮する。
【００６８】
本実施例は更に基地局を提供し、それは、上述のようなリソーススケジューリング装置700を含む。
【００６９】
図11は、本発明の実施例における基地局の構成図である。図11に示すように、基地局1100は、中央処理装置（CPU）200及び記憶装置210を含んでも良い。記憶装置210は、中央処理装置200に結合される。そのうち、記憶装置210は、各種のデータを記憶しても良いが、情報処理に必要なプログラムを記憶しても良い。該プログラムは、中央処理装置200の制御下で実行することができる。
【００７０】
そのうち、基地局1100は、実施例1に記載のリソーススケジューリング方法を実現することができる。中央処理装置200は、リソーススケジューリング装置700の機能を実現するように構成されても良く、即ち、中央処理装置200は、次のような制御、即ち、スケジューリングされるユーザ装置の集合を確定し；あるタイムスロットの同一リソースについて、目標関数に基づいて前記ユーザ装置の集合から一対のユーザ装置を選択しスケジューリングを行い；及び、スケジューリングされるユーザ装置のために前記リソースを割り当て、また、対応するパワーを設置するということを行うように構成されても良い。
【００７１】
また、図11に示すように、基地局1100は更に、受送信機220及びアンテナ230などを含んでも良く；そのうち、これらの部品の機能は従来技術と同様であるため、ここではその記載が省略される。なお、基地局1100は、必ずしも図11に示す全ての部品を含む必要がない。また、基地局1100は更に、図11に示していない部品を含んでも良く、これについては、従来技術を参照することができる。
【００７２】
本発明の実施例は更にコンピュータ可読プログラムを提供し、そのうち、基地局中で前記プログラムを実行する時に、前記プログラムは、コンピュータに、前記基地局中で実施例1に記載のリソーススケジューリング方法を実行させる。
【００７３】
本発明の実施例は更にコンピュータ可読プログラムを記憶した記憶媒体を提供し、そのうち、前記プログラムは、コンピュータに、基地局中で実施例1に記載のリソーススケジューリング方法を実行させる。
【００７４】
また、本発明の実施例による装置及び方法は、ソフトウェアにより実現されても良く、ハードウェアにより実現されてもよく、ハードウェア及びソフトウェアの組み合わせにより実現されても良い。また、本発明はこのようなコンピュータ可読プログラムにも関し、即ち、前記プログラムは、ロジック部品により実行される時に、前記ロジック部品に、上述の装置又は構成要素を実現させることができ、又は、前記ロジック部品に、上述の方法又はそのステップを実現させることができる。さらに、本発明は上述のプログラムを記憶するための記憶媒体、例えば、ハードディスク、磁気ディスク、光ディスク、DVD、flashメモリなどにも関する。
【００７５】
また、上述の実施例を含む実施形態に関し、更に以下の付記を開示する。
【００７６】
（付記1）
全二重システム又は仮想全二重システムに配置されるリソーススケジューリング装置であって、
スケジューリングされるユーザ装置の集合を確定するための集合確定ユニット；
所定タイムスロットの同一リソースについて、目標関数に基づいて前記ユーザ装置の集合から一対のユーザ装置を選択しスケジューリングを行うためのユーザ選択ユニットであって、前記一対のユーザ装置は、一つの上りリンクユーザ装置及び一つの下りリンクユーザ装置を含み、前記目標関数は、前記一対のユーザ装置が前記タイムスロットの前記リソース上で達し得る上りリンクのスループット及び下りリンクのスループット、及び、前記基地局のカバレッジ内での上りリンクのスループット及び下りリンクのスループットを含むパラメータを考慮する、ユーザ選択ユニット；及び
スケジューリングされる前記ユーザ装置対のために前記リソースを割り当て、対応するパワーを構成するためのリソース割り当てユニットを含む、装置。
【００７７】
（付記2）
付記1に記載の装置であって、
前記ユーザ選択ユニットは、
前記ユーザ装置の集合から複数の候補ユーザ装置対を確定するための候補ユーザ確定ユニット；
前記目標関数に基づいて、前記複数の候補ユーザ装置対のために目標値をそれぞれ計算するための目標値計算ユニット；及び
計算された目標値に基づいて、前記複数の候補ユーザ装置対から、スケジューリングされる前記ユーザ装置対及び対応するパワーを確定するためのユーザ確定ユニットを含む、装置。
【００７８】
（付記3）
付記2に記載の装置であって、
前記候補ユーザ確定ユニットは、具体的に、
前記ユーザ装置の集合のうちの任意の二つのユーザ装置を前記候補ユーザ装置対として確定し；或いは
前記ユーザ装置の集合から一つの下りリンクユーザ装置を確定し、該下りリンクユーザ装置と、前記ユーザ装置の集合のうちの選択されていない任意の一つの上りリンクユーザ装置とを前記候補ユーザ装置対として確定し；又は、前記ユーザ装置の集合から一つの上りリンクユーザ装置を確定し、該上りリンクユーザ装置と、前記ユーザ装置の集合のうちの選択されていない任意の一つの下りリンクユーザ装置とを前記候補ユーザ装置対として確定するために用いられる、装置。
【００７９】
（付記4）
付記2に記載の装置であって、
前記目標値計算ユニットは、
前記候補ユーザ装置対のうちの上りリンクユーザ装置が前記タイムスロットの前記リソース上で達し得る上りリンクのスループット、及び、前記候補ユーザ装置対のうちの下りリンクユーザ装置が前記タイムスロットの前記リソース上で達し得る下りリンクのスループットを取得するためのユーザスループット取得ユニット；
前記候補ユーザ装置対の上りリンクのスループット及び下りリンクのスループットに基づいて、スケジューリング関数により、前記候補ユーザ装置対のユーザスケジューリング値を計算するためのスケジューリング値計算ユニット；
前記基地局のカバレッジ内で前記タイムスロットに関する上りリンクのスループット及び下りリンクのスループットを取得するためのシステムスループット取得ユニット；
前記タイムスロットに関する上りリンクのスループット及び下りリンクのスループットに基づいて、コスト関数により、前記基地局のカバレッジ内でのシステムコスト値を計算するためのコスト計算ユニット；及び
前記ユーザスケジューリング値及び前記システムコスト値に基づいて、前記目標関数により、前記候補ユーザ装置対をスケジューリングする場合の目標値を確定するための目標値確定ユニットを含む、装置。
【００８０】
（付記5）
付記4に記載の装置であって、
前記目標関数は、
【数１３】
2016152622.tif 000024
であり、そのうち、UDLi(t)及びUULj(t)は、それぞれ、下りリンクユーザ装置i及び上りリンクユーザ装置jが前記タイムスロットtの前記リソース上で達し得る下りリンクのスループット及び上りリンクのスループットを表し；f(UDLi(t),UULj(t))は、前記スケジューリング関数を表し；CDL(t-1)及びCUL(t-1)は、それぞれ、タイムスロットt-1の終了時に前記基地局のカバレッジ内での下りリンクのスループット及び上りリンクのスループットを表し、又は、タイムスロットt-1の終了時から前へのm個のタイムスロットにおける前記基地局のカバレッジ内での下りリンク及び上りリンクのスループットを表し；g(CDL(t-1)／CUL(t-1))は、前記コスト関数を表し；G(PDL,PUL)は、前記目標関数を表し、λは、定数である、装置。
【００８１】
（付記6）
付記5に記載の装置であって、
前記スケジューリング関数は、
前記候補ユーザ装置対が前記タイムスロットの前記リソース上で達し得る上りリンクのスループット及び下りリンクのスループットの加重和、即ち、
【数１４】
2016152622.tif 000025
であり、そのうち、α及びβは、定数であり；又は、
全てのユーザ装置ができるだけ公平のスケジューリング機会を得るようにさせた場合、前記候補ユーザ装置対が前記タイムスロットの前記リソース上で達し得る上りリンクのスループット及び下りリンクのスループットの加重和、即ち、
【数１５】
2016152622.tif 000026
であり、そのうち、TDLi(t-1)及びTULj(t-1)は、それそれ、タイムスロットt-1に至る時に、下りリンクユーザ装置i及び上りリンクユーザ装置jの累積された下りリンクのスループット及び上りリンクのスループットを表し；又は、タイムスロットt-1の終了時から前へのm個のタイムスロットにおける下りリンクユーザ装置i及び上りリンクユーザ装置jの累積された下りリンクのスループット及び上りリンクのスループットを表す、装置。
【００８２】
（付記7）
付記5に記載の装置であって、
UDLi(t)は、下りリンクユーザ装置iのタイムスロットｔにおける前記リソース上でのSINR
（外１０）
2016152622.tif 000027
に関し、
（外１１）
2016152622.tif 000028
は、下りリンクパワーPDL、及び、下りリンクユーザ装置iとサービング伝送ポイントとの間のチャネルHDLiにより決定され、
UULj(t)は、上りリンクユーザ装置jのタイムスロットｔにおける前記リソース上でのSINR
（外１２）
2016152622.tif 000029
に関し、
（外１３）
2016152622.tif 000030
は、上りリンクパワーPUL、上りリンクユーザ装置jとサービング伝送ポイントとの間のチャネルHULj、及び前記サービング伝送ポイントの干渉除去能力Icancelにより決定される、装置。
（付記8）
付記7に記載の装置であって、
【数１６】
2016152622.tif 000031
であり、IDLiは、下りリンクユーザ装置iが前記リソース上で受けた干渉であり、IULjは、上りリンクユーザ装置jが前記リソース上で受けた干渉であり、Nは、ノイズの大小である、装置。
【００８３】
（付記9）
付記5に記載の装置であって、
前記基地局のカバレッジ内での上りリンクのスループットと下りリンクのスループットとの比は、できるだけ、所定値と一致し又は所定範囲内にあり、
CDL(t-1)／CUL(t-1)が所定値と一致し又は所定範囲内にある場合、g(CDL(t-1)／CUL(t-1))の値はゼロ（零）又は正数であり、また、CDL(t-1)／CUL(t-1)が前記所定値又は前記所定範囲から離れるほど、g(CDL(t-1)／CUL(t-1))の値は大きい、装置。
【００８４】
（付記10）
付記9に記載の装置であって、
g(x)=ax2+bx+cであり、a、b、cは、定数であり、a＞0且つg(A)=0又はg(N)=g(C)=0であり、そのうち、Aは、前記所定値であり、又は、[B,C]は、前記所定範囲である、装置。
【００８５】
（付記11）
全二重システム又は仮想全二重システムに用いられるリソーススケジューリング方法であって、
基地局が、スケジューリングされるユーザ装置の集合を確定し；
所定タイムスロットの同一リソースについて、目標関数に基づいて前記ユーザ装置の集合から一対のユーザ装置を選択しスケジューリングを行い、前記一対のユーザ装置は、一つの上りリンクユーザ装置及び一つの下りリンクユーザ装置を含み；及び
スケジューリングされるユーザ装置対のために、前記リソースを割り当て、対応するパワーを構成することを含み、
そのうち、前記目標関数は、前記一対のユーザ装置が前記タイムスロットの前記リソース上で達し得る上りリンクのスループット及び下りリンクのスループット、及び、前記基地局のカバレッジ内での上りリンクのスループット及び下りリンクのスループットを含むパラメータを考慮する、方法。
【００８６】
（付記12）
付記11に記載の方法であって、
前記目標関数に基づいて前記ユーザ装置の集合から一つのユーザ装置対を選択しスケジューリングを行うことは、
前記ユーザ装置の集合から複数の候補ユーザ装置対を確定し；
前記目標関数に基づいて、それぞれ、前記複数の候補ユーザ装置対のために目標値を計算し；及び
計算された目標値に基づいて、前記複数の候補ユーザ装置対から、スケジューリングされる前記ユーザ装置対及び対応するパワーを確定することを含む、方法。
【００８７】
（付記13）
付記12に記載の方法であって、
前記ユーザ装置の集合から複数の候補ユーザ装置対を確定することは、
前記ユーザ装置の集合のうちの任意の二つのユーザ装置を前記候補ユーザ装置対と確定し；或いは、
前記ユーザ装置の集合から一つの下りリンクユーザ装置を確定し、該下りリンクユーザ装置と、前記ユーザ装置の集合のうちの選択されていない任意の一つの上りリンクユーザ装置とを前記候補ユーザ装置対と確定し；又は、前記ユーザ装置の集合から一つの上りリンクユーザ装置を確定し、該上りリンクユーザ装置と、前記ユーザ装置の集合のうちの選択されていない任意の一つの下りリンクユーザ装置とを前記候補ユーザ装置対と確定することを含む、方法。
【００８８】
（付記14）
付記12に記載の方法であって、
前記目標関数に基づいて前記候補ユーザ装置対のために目標値を計算することは、
前記候補ユーザ装置対のうちの上りリンクユーザ装置が前記タイムスロットの前記リソース上で達し得る上りリンクのスループット、及び、前記候補ユーザ装置対のうちの下りリンクユーザ装置が前記タイムスロットの前記リソース上で達し得る下りリンクのスループットを取得し；
前記候補ユーザ装置対の上りリンクのスループット及び下りリンクのスループットに基づいて、スケジューリング関数により、前記候補ユーザ装置対のユーザスケジューリング値を計算し；
前記基地局のカバレッジにおける前記タイムスロットに関する上りリンクのスループット及び下りリンクのスループットを取得し；
前記タイムスロットに関する上りリンクのスループット及び下りリンクのスループットに基づいて、コスト関数により、前記基地局のカバレッジ内でのシステムコスト値を計算し；及び
前記ユーザスケジューリング値及び前記システムコスト値に基づいて、前記目標関数により、前記候補ユーザ装置対をスケジューリングする場合の目標値を確定することを含む、方法。
【００８９】
（付記15）
付記14に記載の方法、
前記目標関数
【数１７】
2016152622.tif 000032
であり、そのうち、UDLi(t)及びUULj(t)は、それぞれ、下りリンクユーザ装置i及び上りリンクユーザ装置jが前記タイムスロットtの前記リソース上で達し得る下りリンクのスループット及び上りリンクのスループットを表し；f(UDLi(t),UULj(t))は、前記スケジューリング関数を表し；CDL(t-1)及びCUL(t-1)は、それぞれ、タイムスロットt-1の終了時に前記基地局のカバレッジ内での下りリンクのスループット及び上りリンクのスループットを表し、又は、タイムスロットt-1の終了時から前へのm個のタイムスロットにおける前記基地局のカバレッジ内での下りリンク及び上りリンクのスループットを表し；g(CDL(t-1)／CUL(t-1))は、前記コスト関数を表し；G(PDL,PUL)は、前記目標関数を表し、λは、定数である、方法。
【００９０】
（付記16）
付記15に記載の方法であって、
前記スケジューリング関数は、
前記候補ユーザ装置対が前記タイムスロットの前記リソース上で達し得る上りリンクのスループット及び下りリンクのスループットの加重和、即ち、
【数１８】
2016152622.tif 000033
であり、そのうち、α及びβは、定数であり；又は、
全てのユーザ装置ができるだけ公平のスケジューリング機会を得るようにさせた場合、前記候補ユーザ装置対が前記タイムスロットの前記リソース上で達し得る上りリンクのスループット及び下りリンクのスループットの加重和、即ち、
【数１９】
2016152622.tif 000034
であり、そのうち、TDLi(t-1)及びTULj(t-1)は、それそれ、タイムスロットt-1に至る時に、下りリンクユーザ装置i及び上りリンクユーザ装置jの累積された下りリンクのスループット及び上りリンクのスループットを表し；又は、タイムスロットt-1の終了時から前へのm個のタイムスロットにおける下りリンクユーザ装置i及び上りリンクユーザ装置jの累積された下りリンクのスループット及び上りリンクのスループットを表す、方法。
【００９１】
（付記17）
付記15に記載の方法であって、
UDLi(t)は、下りリンクユーザ装置iのタイムスロットｔにおける前記リソース上でのSINR
（外１４）
2016152622.tif 000035
に関し、
（外１５）
2016152622.tif 000036
は、下りリンクパワーPDL、及び、下りリンクユーザ装置iとサービング伝送ポイントとの間のチャネルHDLiにより決定され、
UULj(t)は、上りリンクユーザ装置jのタイムスロットｔにおける前記リソース上でのSINR
（外１６）
2016152622.tif 000037
に関し、
（外１７）
2016152622.tif 000038
は、上りリンクパワーPUL、上りリンクユーザ装置jとサービング伝送ポイントとの間のチャネルHULj、及び前記サービング伝送ポイントの干渉除去能力Icancelにより決定される、方法。
【００９２】
（付記18）
付記17に記載の方法であって、
【数２０】
2016152622.tif 000039
であり、IDLiは、下りリンクユーザ装置iが前記リソース上で受けた干渉であり、IULjは、上りリンクユーザ装置jが前記リソース上で受けた干渉であり、Nは、ノイズの大小である、方法。
【００９３】
（付記19）
付記15に記載の方法であって、
前記基地局のカバレッジ内での上りリンクのスループットと下りリンクのスループットとの比は、できるだけ、所定値と一致し又は所定範囲内にあり、
CDL(t-1)／CUL(t-1)が所定値と一致し又は所定範囲内にある場合、g(CDL(t-1)／CUL(t-1))の値はゼロ（零）又は正数であり、また、CDL(t-1)／CUL(t-1)が前記所定値又は前記所定範囲から離れるほど、g(CDL(t-1)／CUL(t-1))の値は大きい、方法。
【００９４】
（付記20）
全二重通信又は仮想全二重通信を行う通信システムであって、
スケジューリングされるユーザ装置の集合を確定し；所定のタイムスロットの同一リソースについて、目標関数に基づいて前記ユーザ装置の集合から一つのユーザ装置対を選択しスケジューリングを行い；及び、スケジューリングされるユーザ装置のために前記リソースを割り当て、対応するパワーを構成するための基地局を含み、
そのうち、前記ユーザ装置対は一つの上りリンクユーザ装置及び一つの下りリンクユーザ装置を含み、前記目標関数は、前記一対のユーザ装置が前記タイムスロットの前記リソース上で達し得る上りリンクのスループット及び下りリンクのスループット、及び、前記基地局のカバレッジ内での上りリンクのスループット及び下りリンクのスループットを含むパラメータを考慮する、通信システム。
【００９５】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2016152622.tif 000047
【図２】
2016152622.tif 000048
【図３】
2016152622.tif 000049
【図４】
2016152622.tif 000050
【図５】
2016152622.tif 000051
【図６】
2016152622.tif 000052
【図７】
2016152622.tif 000053
【図８】
2016152622.tif 000054
【図９】
2016152622.tif 000055
【図１０】
2016152622.tif 000056
【図１１】
2016152622.tif 000057